(57)【特許請求の範囲】
【請求項１】
原稿上の画像を読み取り、当該画像に基づく画像データを生成する画像読取部と、
前記画像読取部により生成された前記原稿１ページ分の前記画像データを所定の数に分割する分割数と前記画像データに基づき作成される出力画像データの出力解像度との入力指定を受付ける入力部と、
前記入力部を介して受付けた前記分割数に基づき前記原稿１ページ分の前記画像データを分割して分割画像データを作成する分割処理部と、
前記入力部を介して入力指定を受付けた前記分割数、及び前記出力画像データの出力解像度に基づき読取解像度を算出する制御部と、
前記分割画像データを出力画像データとして出力するデータ出力部とを備え、
前記制御部は前記画像読取部を制御し、算出した前記読取解像度をもって前記原稿上の画像の読み取りを行わせること
を特徴とする画像処理装置。
【請求項２】
前記データ出力部は前記分割画像データを出力画像データとして送信出力すること
を特徴とする請求項１記載の画像処理装置。
【請求項３】
前記分割処理部は前記分割画像データに前記出力解像度に関する情報を付加し、
前記データ出力部は前記出力解像度に関する情報が付加された前記分割画像データを出力画像データとして送信すること
を特徴とする請求項１、又は請求項２記載の画像処理装置。
【請求項４】
前記制御部は前記出力解像度に前記分割数の平行根を乗じることにより前記読取解像度を算出すること
特徴とする請求項１乃至請求項３の何れか１項記載の画像処理装置。
【請求項５】
前記読取解像度と前記出力解像度とを比較し、前記読取解像度が前記出力解像度よりも大きい場合に、前記出力解像度と一致するように前記読取解像度を変換して調節画像データを作成する解像度調節部を備えること
を特徴とする請求項１乃至請求項４の何れか１項記載の画像処理装置。
【請求項６】
前記制御部は、算出した前記読取解像度と、予め複数設定され、前記画像読取部による読み取りが実行可能な実行可能読取解像度と、を比較し、前記読取解像度が前記実行可能読取解像度と一致しない場合、前記読取解像度よりも大きな値を有する前記実行可能読取解像度の中で最小の値を有する前記実行可能読取解像度を読取解像度として設定すること
を特徴とする請求項１乃至請求項５の何れか１項記載の画像処理装置。
【発明の詳細な説明】
【技術分野】
【０００１】
本発明は、複数の情報処理機能を有する画像処理装置に関するものである。
【背景技術】
【０００２】
近年、省資源の観点から複数枚に亘る原稿画像を１枚の記録媒体に縮小レイアウトして印刷する、いわゆるマルチページ印刷機能を備える画像形成装置が流通している。このようなマルチページ印刷機能を用いて出力された印刷物から各原稿画像に対応する画像データを得ることを目的として、例えば、特許文献１には、縮小印刷された各原稿画像に対応する画像データを複数枚の記録媒体に分散させて出力させることができる画像形成装置について記載がなされている。
【先行技術文献】
【特許文献】
【０００３】
【特許文献１】特開２００５−０１２６２１号公報
【発明の概要】
【発明が解決しようとする課題】
【０００４】
しかしながら、上記特許文献１に記載の画像形成装置は、マルチページ印刷機能を用いて出力された印刷物上の縮小された各原稿画像をそのままの縮小サイズで分割して画像データとしてメモリ等の記録装置に出力する方式であるため、縮小された原稿画像のサイズはそのままである。
【０００５】
したがって、上記特許文献１に記載の画像形成装置では、例えば、読取原稿上の原稿画像をスキャナ等の画像読取部でスキャンして生成した画像データを特定の相手先にファックス送信した場合（以下、当該機能をＳｃａｎ  ｔｏ  ＦＡＸ機能と称する）、受信結果として得られた記録媒体上の縮小された文字が潰れてしまい、判読し難くなるといった不具合が発生することがあった。
【０００６】
本発明は、このような実情に鑑みてなされたものであり、本発明の課題は、マルチ印刷機能を用いて出力された印刷物上の縮小された各原稿画像を分割して得られた画像データを送信したとしても、相手側にとって判読し易い受信結果を得ることが可能な画像処理装置を提供することである。
【課題を解決するための手段】
【０００７】
上記課題を解決するために、本発明に係る画像処理装置は、原稿上の画像を読み取り、当該画像に基づく画像データを生成する画像読取部と、前記画像読取部により生成された前記原稿１ページ分の前記画像データを所定の数に分割する分割数と前記画像データに基づき作成される出力画像データの出力解像度との入力指定を受付ける入力部と、前記入力部を介して受付けた前記分割数に基づき前記原稿１ページ分の前記画像データを分割して分割画像データを作成する分割処理部と、前記入力部を介して入力指定を受付けた前記分割数、及び前記出力画像データの出力解像度に基づき読取解像度を算出する制御部と、前記分割画像データを出力画像データとして出力するデータ出力部とを備え、前記制御部は前記画像読取部を制御し、算出した前記読取解像度をもって前記原稿上の画像の読み取りを行わせることを特徴とする。
【発明の効果】
【０００８】
本発明によれば、マルチ印刷機能を用いて出力された印刷物上の縮小された各原稿画像を分割して得られた画像データを送信したとしても、相手側にとって判読し易い受信結果を得ることが可能な画像処理装置を提供することができる。
【図面の簡単な説明】
【０００９】
【図１】ＭＦＰの機能構成を説明するための機能ブロック図である。
【図２】実施形態にかかる処理のメインフローを説明するフローチャートである。
【図３】図２のステップＳ１００における読取準備処理を説明するフローチャートである。
【図４】ＦＡＸプロパティ設定画面の一例を説明する図である。
【図５】図３のステップＳ１１０における解像度・割付指定処理を説明するフローチャートである。
【図６】解像度設定画面の一例を説明する図である。
【図７】原稿レイアウト設定画面の一例を説明する図である。
【図８】割付順序設定画面の一例を説明する図である。
【図９】図３のステップＳ１５０における宛先指定処理を説明するフローチャートである。
【図１０】送信先設定画面の一例を説明する図である。
【図１１】図２のステップＳ２００における画像読取部１１０によるスキャン処理を説明するフローチャートである。
【図１２】図２のステップＳ３００におけるデータ変換部１４０による画像変換処理を説明するフローチャートである。
【図１３】図２のステップＳ４００におけるデータ送信部１５０による送信処理を説明するフローチャートである。
【図１４】ＭＦＰの機能構成を説明するための機能ブロック図である。
【図１５】実施形態にかかる処理のメインフローを説明するフローチャートである。
【図１６】図１５のステップＳ５００における読取準備処理を説明するフローチャートである。
【図１７】図１６のステップＳ５１０における解像度・割付指定処理を説明するフローチャートである。
【図１８】図１５のステップＳ６００におけるデータ変換部１４０’による画像変換処理を説明するフローチャートである。
【発明を実施するための形態】
【００１０】
以下、本発明の実施形態について図面を参照して説明する。なお、本発明は以下の記述に限定されるものではなく、本発明の要旨に逸脱しない範囲において適宜変更可能である。
【００１１】
［第１の実施形態］
第１の実施形態の説明においては、本発明にかかる画像処理装置の好適な一例として、多機能周辺装置（Multi Function Peripheral：ＭＦＰ）６００について説明する。ＭＦＰ６００は、画像読取部で読み取った原稿画像に基づく画像データを生成し、当該画像データをＦＡＸ送信（Ｓｃａｎ  ｔｏ  ＦＡＸ）、電子メール送信（Ｓｃａｎ  ｔｏ  Ｅ−ｍａｉｌ）、又はＵＳＢ（Universal Serial Bus）等の移動性記憶媒体に格納させること（Ｓｃａｎ  ｔｏ  ＵＳＢ  ｍｅｍｏｒｙ）が可能な多機能周辺装置である。なお、本発明の説明においては、ＭＦＰ６００で読み取らせる読取原稿上に形成された画像を原稿画像と称して説明する。
【００１２】
図１は、第１の実施形態にかかるＭＦＰ６００の機能構成を説明するための機能ブロック図である。
【００１３】
ＭＦＰ６００は、画像読取部１１０と、入力部としての操作パネル１２０と、制御部１３０と、データ変換部１４０と、データ送信部１５０と、読取データ格納部２１０と、送信データ格納部２２０とを備える。
【００１４】
画像読取部１１０は、少なくとも、原稿に光を照射する光源と原稿により反射された光を集光するレンズとレンズで集光された光を光電変換し原稿画像に応じた電圧を発生する、ＣＣＤ（Charge Coupled Device）等の光電変換素子とを備える図示せぬ読取センサと、当該読取センサによる原稿画像の読取位置に原稿を自動給送する図示せぬＡＤＦ（Auto Document Feeder）と、ＡＤＦに対する原稿の有無を検知し、検知結果に基づくＯＮ／ＯＦＦ信号を出力するＡＤＦスイッチ１１５と、を備える。
【００１５】
画像読取部１１０は、ＡＤＦスイッチ１１５から出力されるＯＮ／ＯＦＦ信号を制御部１３０に通知し、制御部１３０からの読取指示に基づきＡＤＦに積載された読取原稿上の原稿画像を原稿１枚ずつ読取センサでスキャンさせる。そして、画像読取部１１０は、生成した画像データを読取データ格納部２１０に格納させる。また、画像読取部１１０は、全ての原稿画像のスキャンが終了するとこれを制御部１３０に通知する。
【００１６】
操作パネル１２０は、例えば、液晶ディスプレイ等の情報表示手段を備え、ユーザとＭＦＰ６００との間で必要な情報のやり取りを仲介する。具体的には、操作パネル１２０は、制御部１３０から通知されたユーザ宛の情報を情報表示手段に表示するとともに、情報表示手段に一体となって設置されているタッチパネル、又は情報表示手段の近傍に設置されている操作ボタン等の情報入力手段を介してユーザにより入力された情報を制御部１３０に出力する。
【００１７】
制御部１３０は、例えば、各種演算を行うＣＰＵ（Central Processing Unit）や、ＣＰＵにより一時メモリ１３１として利用される揮発性メモリであるＲＡＭ（Random Access Memory）や、種々の制御プログラムを格納する不揮発性メモリであるＲＯＭ（Read Only Memory）等を備え、ＣＰＵがＲＯＭに格納された種々の制御プログラムを実行することにより、ＭＦＰ６００を統括的に制御する。
【００１８】
一時メモリ１３１は、操作パネル１２０を介してユーザにより指定された情報、本実施形態においては、後述するＦＡＸの送信解像度情報（以下、単に送信解像度情報と称することがある）、読取原稿割付情報、又はＦＡＸ送信先情報等を一時的に格納する。
【００１９】
制御部１３０には、画像読取部１１０からのＡＤＦスイッチ１１５のＯＮ／ＯＦＦ信号、又は画像読取完了が通知される。また、制御部１３０は、画像読取部１１０に対して指定する解像度での原稿画像のスキャンを指示する。
【００２０】
また、制御部１３０は、後述する図６、図７、図８、及び図１０等のメニュー項目に記載されるＦＡＸの送信解像度や、ＦＡＸ送信先の設定画面の表示指示を操作パネル１２０に出力する。また、制御部１３０は、ユーザにより操作パネル１２０を介して入力された送信解像度情報、読取原稿割付情報、ＦＡＸ送信先情報、又は読取開始ボタン押下による読取開始指示を取得する。さらに、制御部１３０は、読取原稿割付情報、データ変換開始指示、及び送信解像度情報をデータ変換部１４０に出力するとともに、データ変換部１４０からデータ変換終了の通知を受ける。また、制御部１３０は、ＦＡＸ送信先情報であるＦＡＸ送信番号をデータ送信部１５０に出力するとともに、送信データ格納部２２０から送信画像データを読み出し、読み出した送信画像データをデータ送信部１５０に転送する。
【００２１】
データ変換部１４０は分割処理部１４１を備える。データ変換部１４０は、読取原稿割付情報、データ変換開始指示、及び送信解像度情報を制御部１３０から取得する。また、データ変換部１４０は、読取データ格納部２１０から画像データを読み出し、分割処理部１４１に渡す。そして、データ変換部１４０は、分割処理部１４１による変換処理後の画像データを送信画像データとして送信データ格納部２２０に格納させ、その旨を制御部１３０に通知する。
【００２２】
分割処理部１４１はデータ変換部１４０から渡された画像データを、取得した読取原稿割付情報に基づき分割し、分割した画像データに同じく取得した送信解像度情報を付加して送信画像データを生成し、当該送信画像データをデータ変換部１４０に返す。具体的に、分割処理部１４１は、例えば、４ＵＰの場合、画像データを横に２等分、縦に２等分して分割する。なお、分割処理部１４１は、各場合における画像データの分割方法について予め記憶している。
【００２３】
データ送信部１５０は、ＦＡＸ送信先情報と送信画像データとを取得し、ＦＡＸ送信先に送信画像データを送信する。
【００２４】
読取データ格納部２１０は、例えば、ＨＤＤ（Hard Disk Drive）やフラッシュメモリ等の記憶媒体を備え、画像読取部１１０が生成した原稿画像に基づく画像データを格納する。
【００２５】
送信データ格納部２２０は、例えば、ＨＤＤ（Hard Disk Drive）やフラッシュメモリ等の記憶媒体を備え、データ変換部１４０が変換して出力した送信画像データを格納する。
【００２６】
次に、上記構成を備えたＭＦＰ６００による処理の流れについて図２を用いて説明する。図２に示す動作は本実施形態にかかる処理のメインフローであり、まず、当該メインフローについて説明し、次いで、図２に示す各ステップについて詳細に説明する。
【００２７】
まず、ステップＳ１００において、制御部１３０は、読取準備処理を実行し、操作パネル１２０を介して入力されたユーザが目的とする機能を取得する。本実施形態においては、ユーザにより入力された機能の一例としてＳｃａｎ  ｔｏ  ＦＡＸについて説明する。なお、このとき、ユーザはＦＡＸの送信解像度情報、読取原稿割付情報、及びＦＡＸ送信先情報を設定する。
【００２８】
次に、制御部１３０は画像読取部１１０を制御して読取原稿上の原稿画像のスキャンを実行させる（ステップＳ２００）。
【００２９】
画像読取部１１０により画像データが生成されると、データ変換部１４０は画像変換処理を実行する（ステップＳ３００）。ここでは、データ変換部１４０の分割処理部１４１は、取得した画像データを読取原稿割付情報に基づき分割する。ここで、分割された画像データは、ユーザ指定の送信解像度となる。
【００３０】
最後に、データ送信部１５０は、送信処理を実行し、ＦＡＸ送信先に送信画像データを送信して（ステップＳ４００）、一連の処理を終了する。
【００３１】
次に、図２のメインフローの各ステップについて説明する。図３は、図２のステップＳ１００における読取準備処理を説明するフローチャートである。読取準備処理は、制御部１３０により操作パネル１２０を介して実行される。
【００３２】
まず、画像読取部１１０によりＡＤＦスイッチ１１５からのＯＮ信号が通知されるか（ステップＳ１０１  Ｙｅｓ）、又は操作パネル１２０を介して［ＦＡＸ］ボタンが押下されたことを表す押下信号が入力されると（ステップＳ１０２  Ｙｅｓ）、制御部１３０は、操作パネル１２０に対して図４に示すＦＡＸプロパティ設定画面７００を表示するように指示を出力する。
【００３３】
操作パネル１２０がＦＡＸプロパティ設定画面７００を表示し（ステップＳ１０３）、ユーザにより、［送信解像度・割付指定］ボタンＢ１１が押下されると（ステップＳ１０４  ［送信解像度・割付指定］）、制御部１３０は解像度・割付指定処理を実行する（ステップＳ１１０）。
【００３４】
ステップＳ１１０における解像度・割付指定処理の終了後、制御部１３０は、一時メモリ１３１を確認してＦＡＸ送信先がまだ指定されていないときには（ステップＳ１０５  宛先取得済  Ｎｏ）、宛先指定処理を実行する（ステップＳ１５０）。そして、ステップＳ１５０における宛先指定処理の終了後、再度一時メモリ１３１を確認して送信解像度・割付情報指定が正しく取得できていない場合には（ステップＳ１０６  解像度・割付指定取得済？  Ｎｏ）、ステップＳ１１０における解像度・割付指定処理を再度実行する。
【００３５】
一方、ユーザにより、［宛先指定］ボタンＢ１２が押下されると（ステップＳ１０４  宛先指定）、制御部１３０は宛先指定処理を実行する（ステップＳ１５０）。
【００３６】
ステップＳ１５０における宛先指定処理の終了後、制御部１３０は、一時メモリ１３１を確認してＦＡＸの送信解像度・割付指定処理がなされていないときには（ステップＳ１０６  解像度・割付指定取得済？  Ｎｏ）、解像度・割付指定処理を実行する（ステップＳ１１０）。そして、ステップＳ１１０における解像度・割付指定処理の終了後、再度一時メモリ１３１を確認してＦＡＸ送信先が正しく取得できていない場合には（ステップＳ１０５  宛先取得済？  Ｎｏ）、ステップＳ１５０における宛先指定処理を再度実行する。
【００３７】
図５は、図３のステップＳ１１０における解像度・割付指定処理を説明するフローチャートである。解像度・割付指定処理は、制御部１３０により操作パネル１２０を介して実行される。
【００３８】
図３のステップＳ１０４において、ユーザにより解像度・割付指定処理が選択されると（ステップＳ１０４  ［解像度・割付指定］、制御部１３０は、操作パネル１２０に対して図６に示す解像度設定画面７１０を表示するように指示を出力する。
【００３９】
制御部１３０からの表示指示を受けると、操作パネル１２０は、解像度設定画面７１０を表示する（ステップＳ１１１）。
【００４０】
解像度設定画面７１０は、図６の一例に示すように、ユーザがＦＡＸ送信先に対して送信する画像データの解像度である送信解像度の選択を受付ける解像度指定ボタン、［７２ｄｐｉ］ボタンＢ５、［１５０ｄｐｉ］ボタンＢ６、［３００ｄｐｉ］ボタンＢ７、［６００ｄｐｉ］ボタンＢ８と、ユーザによる送信解像度の指定確定の入力を受付ける［設定］ボタンＢ９とを備える。例えば、ユーザは、３００ｄｐｉの解像度をもってＦＡＸ送信先に画像データを送信したい場合には、３００ｄｐｉの解像度を表す［３００ｄｐｉ］ボタンＢ７を押下後、［設定］ボタンＢ９を押下することで、送信解像度の指定を確定させる。
【００４１】
操作パネル１２０に表示された解像度設定画面７１０において、［設定］ボタンＢ９の押下信号が入力されると（ステップＳ１１２  設定）、制御部１３０は、ユーザにより指定された７２ｄｐｉ、１５０ｄｐｉ、３００ｄｐｉ、又は６００ｄｐｉの何れかの送信解像度を一時メモリ１３１に格納させる（ステップＳ１１３）。そして、制御部１３０は、図７に示す原稿レイアウト設定画面７２０を表示するよう指示を与える。
【００４２】
制御部１３０からの表示指示を受けると、操作パネル１２０は、原稿レイアウト設定画面７２０を表示する（ステップＳ１１４）。
【００４３】
原稿レイアウト設定画面７２０は、読取原稿のレイアウトに従い、ユーザにより選択される領域Ａ１、及び領域Ａ２を備え、領域Ａ１には、［片面］ボタンＢ１０、［両面］ボタンＢ１１が、領域Ａ２には、［１ＵＰ］ボタンＢ１２、［２ＵＰ］ボタンＢ１３、［４ＵＰ］ボタンＢ１４がそれぞれ形成されている。例えば、ユーザは、両面に４ＵＰで割り付けられた読取原稿をＳｃａｎ  ｔｏ  ＦＡＸで送信させる場合、領域Ａ１から［両面］ボタンＢ１１を押下後、領域Ａ２から［４ＵＰ］ボタンＢ１４を押下し、最後に［設定］ボタンＢ９を押下することで、読取原稿のレイアウトの選択を確定させる。
【００４４】
操作パネル１２０に表示された原稿レイアウト設定画面７２０において、［設定］ボタンＢ９の押下信号が入力されると（ステップＳ１１５  ［設定］）、制御部１３０は、読取原稿における片面／両面の指定と割付ページ数を一時メモリ１３１に格納させる（ステップＳ１１６）。そして、制御部１３０は、図８に示す割付順序設定画面７３０を表示するよう指示を与える。
【００４５】
制御部１３０からの表示指示を受けると、操作パネル１２０は、割付順序設定画面７３０を表示する（ステップＳ１１７）。
【００４６】
割付順序設定画面７３０は、原稿レイアウト設定画面７２０を介してユーザにより入力された読取画面における片面／両面の指定と割付ページ数に基づき表示される設定画面であり、原稿の割付領域を表すボタンＢ１５、ボタンＢ１６、ボタンＢ１７、ボタンＢ１８、ボタンＢ１９、ボタンＢ２０、ボタンＢ２１、及びボタンＢ２２を備える。ユーザは、操作パネル１２０に表示された原稿の割付領域を表すボタンＢ１５〜Ｂ２２を、領域の順序に従って押下する。図８は、前出の図７で示した原稿レイアウト設定画面７２０において、ユーザにより両面の指定と割付ページ数４が指定された場合に表示される割付順序設定画面の一例を示す図であり、読取原稿のオモテ面がボタンＢ１５、ボタンＢ１７、ボタンＢ１６、ボタンＢ１８で表される領域の順に割り付けられている読取原稿がボタンＢ１６で表される領域まで指定された例である。ユーザは、同様にウラ面に対してもボタンＢ１９〜Ｂ２２で表される領域を押下し、最後に［設定］ボタンＢ９を押下することで、割付順序の選択を確定させる。
【００４７】
操作パネル１２０に表示された割付順序設定画面７３０において、［設定］ボタンＢ９の押下信号が入力されると（ステップＳ１１８  ［設定］）、制御部１３０は、読取原稿における割付順序を一時メモリ１３１に格納させる（ステップＳ１１９）。
【００４８】
そして、ステップＳ１２０において、制御部１３０は、画像読取部１１０による読取解像度を算出する。具体的には、制御部１３０は、
（読取解像度）＝（送信解像度）×√（割付ページ数）
の式を用いて読取解像度を算出する。
【００４９】
例えば、制御部１３０は、３００ｄｐｉの解像度で４ＵＰの原稿をＦＡＸ送信させる場合には、
（読取解像度）＝３００（ｄｐｉ）×√４＝６００ｄｐｉ
と算出する。
【００５０】
このようにして算出された読取解像度は、制御部１３０により一時メモリ１３１に格納される（ステップＳ１２５）。
【００５１】
ところで、ステップＳ１１２、ステップＳ１１５、又はステップＳ１１８において、ユーザにより［キャンセル］ボタンＢ１０が押されると、制御部１３０による処理は、図３のステップＳ１０３に戻り、制御部１３０は操作パネル１２０に対してＦＡＸプロパティ設定画面７００を表示するように指示を出力し、制御部１３０からの表示指示を受けた操作パネル１２０は、ＦＡＸプロパティ設定画面７００を表示する。
【００５２】
次に、図３のステップＳ１５０における宛先指定処理について図９のフローチャートを用いて説明する。宛先指定処理は、制御部１３０により操作パネル１２０を介して実行される。
【００５３】
図３のステップＳ１０４において、ユーザにより宛先指定処理が選択されると（ステップＳ１０４  ［宛先指定］）、制御部１３０は、制御パネル１２０に対して図１０に示す送信先設定画面７４０を表示するように指示を出力する。
【００５４】
制御部１３０からの表示指示を受けると、操作パネル１２０は、送信先設定画面７４０を表示する（ステップＳ１５１）。
【００５５】
送信先設定画面７４０は、図１０の一例に示すように、既にアドレス帳に登録されている送信先の選択を受付ける送信先指定ボタンＢ２３、ボタンＢ２４、ボタン２５と、送信先のＦＡＸ番号の直接入力を受付ける［番号を直接入力する］ボタン２６とを備える。ユーザは、既にアドレス帳に登録されている送信先を送信先指定ボタンＢ２３、ボタン２４、ボタン２５の何れかから選択して押下するか、又は［番号を直接入力する］ボタン２６を押下後、別途図示せぬ数字入力ボタンを用いて送信先のＦＡＸ番号を直接入力し、［設定］ボタンＢ９を押下することにより、送信先を確定させる。
【００５６】
操作パネル１２０に表示された送信先設定画面７４０において、［設定］ボタン９の押下信号が入力されると（ステップＳ１５２  Ｙｅｓ）、制御部１３０は、ユーザにより選択・設定された送信先の送信先番号を一時メモリ１３１に格納させる（ステップＳ１５３）。
【００５７】
次に、図２のステップＳ２００における画像読取部１１０によるスキャン処理について図１１のフローチャートを用いて説明する。スキャン処理は、制御部１３０が画像読取部１１０を制御することにより実行する。
【００５８】
まず、画像読取部１１０によりＡＤＦスイッチ１１５からのＯＮ信号が通知され（ステップＳ２０１  Ｙｅｓ）、かつ、操作パネル１２０を介して図示せぬ［Ｓｔａｒｔ］ボタンが押下されたことを表す押下信号が入力されると（ステップＳ２０２  Ｙｅｓ）、制御部１３０は、前出の図５のステップＳ１１６において一時メモリ１３１に格納済みの片面／両面の指定、及び図５のステップＳ１２５において一時メモリ１３１に格納済みの読取解像度に基づき、画像読取部１１０に対してスキャン開始指示を出力する（ステップＳ２０３）。
【００５９】
画像読取部１１０は、ＡＤＦスイッチ１１５からＯＦＦ信号が出力されるまでの間、読取原稿を１枚ずつスキャンするとともに（ステップＳ２０４）、生成した原稿画像に基づく画像データを読取データ格納部２１０に格納させる（ステップＳ２０５）。
【００６０】
全ての読取原稿のスキャンが終了し、ＡＤＦスイッチ１１５からＯＦＦ信号が出力されると、画像読取部１１０は、制御部１３０に対してスキャン終了を通知し（ステップＳ２０６）、読取処理を終了する。
【００６１】
次に、図２のステップＳ３００におけるデータ変換部１４０による画像変換処理について図１２のフローチャートを用いて説明する。画像変換処理は、制御部１３０がデータ変換部１４０を制御することにより実行する。
【００６２】
データ変換部１４０は、制御部１３０から図５のステップＳ１１６において格納された割付ページ数、及び同図のステップＳ１１９において格納された割付順序の通知を受けると（ステップＳ３０２）、画像変換処理を実行する。
【００６３】
データ変換部１４０は、読取データ格納部２１０に画像データが存在する間、読取原稿１ページ分の画像データを読み出し（ステップＳ３０３）、該画像データを分割処理部１４１に渡す。
【００６４】
分割処理部１４１は、制御部１３０から通知された割付順序に従って画像データを分割する（ステップＳ３０４）。
【００６５】
そして、分割処理部１４１は、ステップＳ３０４において分割した各画像データに送信解像度情報を付加し、送信画像データとして順次送信データ格納部２２０に格納させる（ステップＳ３０５）。
【００６６】
読取データ格納部２１０に格納された画像データが全て読み出され、分割の処理が終了すると、データ変換部１４０は制御部１３０に分割終了を通知する（ステップＳ３０６）。
【００６７】
最後に、図２のステップＳ４００におけるデータ送信部１５０による送信処理について図１３のフローチャートを用いて説明する。送信処理は、制御部１３０がデータ送信部１５０を制御することにより実行する。
【００６８】
まず、制御部１３０は、図９のステップＳ１５３において一時メモリ１３１に格納された送信先番号をデータ送信部１５０に通知する（ステップＳ４０２）。
【００６９】
分割処理部１４０により格納された送信画像データが送信データ格納部２２０に存在する間、制御部１３０は、送信画像データを読み出し（ステップＳ４０３）、データ送信部１５０に転送する（ステップＳ４０４）。
【００７０】
送信データ格納部２２０に格納された送信画像データの読み出し、転送が終了し、データ送信部１５０による送信処理が全て終了すると（ステップＳ４０５）、制御部１３０は一時メモリ１３１をクリアし（ステップＳ４０６）、一連の処理を終了する。
【００７１】
以上のように、第１の実施形態によれば、マルチページで印刷された原稿画像に基づく画像データを、送信者であるユーザが設定した解像度の画像として１ページずつに分割し、受信者である相手側にとって判読し易い画像データに変換して送信することができる。
具体的に、ユーザが送信解像度を３００ｄｐｉに指定し、４ＵＰの原稿を６００ｄｐｉで読み取った場合の、４分割後の画像データ（１ページ分の画像データ）のデータサイズと、１ＵＰの原稿を３００ｄｐｉで読み取った画像データのデータサイズと、は等しくなる。
また、送信画像データには、送信解像度情報が付加されている。このため、画像データに基づいて用紙に印刷を行う画像形成装置は、送信画像データを受信すると、送信解像度情報と送信画像データとに基づいて、読み取り原稿と同じ用紙サイズの原稿に、ユーザが指定した送信解像度で、画像データを印刷することが可能になる。
具体的に、ユーザがＡ４サイズ、４ＵＰの原稿を読み取らせる際に、送信解像度３００ｄｐｉとして指定した場合を考える。画像形成装置は、４分割後の１ページ分の画像データと、送信解像度情報３００ｄｐｉに基づいて、Ａ４サイズの用紙にユーザの指定した３００ｄｐｉの解像度で、１ページ分の画像が形成される。
【００７２】
［第２の実施形態］
第２の実施形態では、第１の実施形態において説明した、分割された画像データの解像度を調整する解像度調整部を備える形態について説明する。なお、本実施形態の説明において、第１の実施形態と同一な箇所については、同一の符号を付してその説明を省略する。
【００７３】
図１４は、第２の実施形態にかかるＭＦＰ６００’の機能構成を説明するための機能ブロック図である。
【００７４】
ＭＦＰ６００’は、画像読取部１１０と、入力部としての操作パネル１２０と、制御部１３０と、データ変換部１４０’と、データ送信部１５０と、読取データ格納部２１０と、送信データ格納部２２０とを備える。
【００７５】
制御部１３０は、例えば、各種演算を行うＣＰＵや、ＣＰＵにより一時メモリ１３１として利用される揮発性メモリであるＲＡＭや、種々の制御プログラムを格納する不揮発性メモリであるＲＯＭ等を備え、ＣＰＵがＲＯＭに格納された種々の制御プログラムを実行することにより、ＭＦＰ６００’を統括的に制御する。
【００７６】
一時メモリ１３１は、操作パネル１２０を介してユーザにより指定された情報、本実施形態においては、ＦＡＸの送信解像度情報（以下、単に送信解像度情報と称することがある）、読取原稿割付情報、又はＦＡＸ送信先情報等を一時的に格納する。
【００７７】
制御部１３０には、画像読取部１１０からのＡＤＦスイッチ１１５のＯＮ／ＯＦＦ信号、又は画像読取完了が通知される。また、制御部１３０は、画像読取部１１０に対して指定する解像度での原稿画像のスキャンを指示する。
【００７８】
また、制御部１３０は、図６、図７、図８、及び図１０等のメニュー項目に記載されるＦＡＸの送信解像度や、ＦＡＸ送信先の設定画面の表示指示を操作パネル１２０に出力する。また、制御部１３０は、ユーザが操作パネル１２０を介してユーザにより入力されたＦＡＸの送信解像度情報、読取原稿割付情報、ＦＡＸ送信先情報、又は読取開始ボタン押下による読取開始指示を取得する。さらに、制御部１３０は、読取原稿割付情報、ＦＡＸの送信解像度情報、画像読取部１１０が原稿画像のスキャンに適用した読取解像度、及びデータ変換開始指示をデータ変換部１４０に出力するとともに、データ変換部１４０からデータ変換終了の通知を受ける。また、制御部１３０は、ＦＡＸ送信先情報であるＦＡＸ送信番号をデータ送信部１５０に出力するとともに、送信データ格納部２２０から送信画像データを読み出し、読み出した送信画像データをデータ送信部１５０に転送する。
【００７９】
データ変換部１４０’は分割処理部１４１と、解像度調整部１４２とを備える。データ変換部１４０’は、読取原稿割付情報、ＦＡＸの送信解像度情報、及び読取解像度を含むデータ変換開始指示を制御部１３０から取得する。また、データ変換部１４０’は、読取データ格納部２１０から画像データを読み出し、分割処理部１４１に渡す。そして、データ変換部１４０’は、分割処理部１４１による変換処理後の画像データを送信画像データとして送信データ格納部２２０に格納させ、その旨を制御部１３０に通知する。
【００８０】
分割処理部１４１は、データ変換部１４０から渡された画像データを取得した読取原稿割付情報に基づき分割し、調整前送信画像データを生成する。
【００８１】
解像度調整部１４２は、分割処理部１４１が生成した調整前送信画像データの解像度とユーザ指定のＦＡＸの送信解像度とを比較し、ＦＡＸの送信解像度の方が小さい場合には、調整前送信画像データの解像度を調整する。すなわち、解像度調整部１４２は、分割処理部１４１が生成した調整前送信画像データの解像度がＦＡＸの送信解像度と同一となるように調整し、調整後の画像データをデータ変換部１４０に渡す。そして、データ変換部１４０’は、分割処理部１４１、並びに解像度調整部１４２による変換処理後の画像データに取得した送信解像度情報を付加し、送信画像データとして送信データ格納部２２０に格納させ、この旨を制御部１３０に通知する。ここで、解像度調整部１４２は、調整前送信画像データに対して間引き処理を行うことにより、ＦＡＸの送信解像度と同一となるように調整を行う。なお、間引き処理としては、例えば、ダウンサンプリング法等の公知の方法を用いることができる。
【００８２】
次に、上記構成を備えたＭＦＰ６００’による処理の流れについて図１５を用いて説明する。図１５に示す動作は本実施形態にかかる処理のメインフローであり、まず、当該メインフローについて説明し、次いで、図１５に示す各ステップについて第１の実施形態と異なる箇所について詳細に説明する。
【００８３】
まず、ステップＳ５００において、制御部１３０は、読取準備処理を実行し、操作パネル１２０を入力されたユーザが目的とする機能を取得する。本実施形態においては、ユーザにより入力された機能の一例としてＳｃａｎ  ｔｏ  ＦＡＸについて説明する。なお、このとき、ユーザはＦＡＸの送信解像度情報、読取原稿割付情報、及びＦＡＸ送信先情報を設定する。
【００８４】
次に、制御部１３０は画像読取部１１０を制御して読取原稿上の原稿画像のスキャンを実行させる（ステップＳ２００）。
【００８５】
画像読取部１１０により画像データが生成されると、データ変換部１４０’は画像変換処理を実行する（ステップＳ６００）。ここでは、データ変換部１４０’は、取得した画像データを読取原稿割付情報に基づき分割し、ユーザ指定のＦＡＸの送信解像度に調整する。
【００８６】
最後に、データ送信部１５０は、送信処理を実行し、ＦＡＸ送信先に送信画像データを送信して（ステップＳ４００）、一連の処理を終了する。
【００８７】
次に、図１５のメインフローの各ステップについて説明する。図１６は、図１５のステップＳ５００における読取準備処理を説明するフローチャートである。読取準備処理は、制御部１３０により操作パネル１２０を介して実行される。
【００８８】
まず、画像読取部１１０によりＡＤＦスイッチ１１５からのＯＮ信号が通知されるか（ステップＳ５０１  Ｙｅｓ）、又は操作パネル１２０を介して［ＦＡＸ］ボタンが押下されたことを表す押下信号が入力されると（ステップＳ５０２  Ｙｅｓ）、制御部１３０は、操作パネル１２０に対して図４に示すＦＡＸプロパティ設定画面７００を表示するように指示を出力する。
【００８９】
操作パネル１２０がＦＡＸプロパティ設定画面７００を表示し（ステップＳ５０３）、ユーザにより、［送信解像度・割付指定］ボタンＢ１１が押下されると（ステップＳ５０４  ［送信解像度・割付指定］）、制御部１３０は解像度・割付指定処理を実行する（ステップＳ５１０）。
【００９０】
ステップＳ５１０における解像度・割付指定処理の終了後、制御部１３０は、一時メモリ１３１を確認してＦＡＸ送信先がまだ指定されていないときには（ステップＳ５０５  宛先取得済  Ｎｏ）、宛先指定処理を実行する（ステップＳ１５０）。そして、ステップＳ１５０における宛先指定処理の終了後、再度一時メモリ１３１を確認して送信解像度・割付指定が正しく取得できていない場合には（ステップＳ５０６  解像度・割付指定取得済？  Ｎｏ）、ステップＳ５１０における解像度・割付指定処理を再度実行する。
【００９１】
一方、ユーザにより、［宛先指定］ボタンＢ１２が押下されると（ステップＳ５０４  宛先指定）、制御部１３０は宛先指定処理を実行する（ステップＳ１５０）。
【００９２】
ステップＳ１５０における宛先指定処理の終了後、制御部１３０は、一時メモリ１３１を確認してＦＡＸの送信解像度・割付指定処理がなされていないときには（ステップＳ５０６  解像度・割付指定取得済？  Ｎｏ）、解像度・割付情報指定処理を実行する（ステップＳ５１０）。そして、ステップＳ５１０における解像度・割付指定処理の終了後、再度一時メモリ１３１を確認してＦＡＸ送信先が正しく取得できていない場合には（ステップＳ５０５  宛先取得済？  Ｎ）、ステップＳ１５０における宛先指定処理を再度実行する。
【００９３】
図１７は、図１６のステップＳ５１０における解像度・割付指定処理を説明するフローチャートである。解像度・割付指定処理は、制御部１３０により操作パネル１２０を介して実行される。
【００９４】
図１６のステップＳ５０４において、ユーザにより解像度・割付指定処理が選択されると（ステップＳ５０４  ［送信解像度・割付指定］、制御部１３０は、操作パネル１２０に対して図６に示す解像度設定画面７１０を表示するように指示を出力する。
【００９５】
制御部１３０からの表示指示を受けると、操作パネル１２０は、解像度設定画面７１０を表示する（ステップＳ５１１）。
【００９６】
操作パネル１２０に表示された解像度設定画面７１０において、［設定］ボタンＢ９の押下信号が入力されると（ステップＳ５１２  設定）、制御部１３０は、ユーザにより指定された７２ｄｐｉ、１５０ｄｐｉ、３００ｄｐｉ、又は６００ｄｐｉの何れかの送信解像度を一時メモリ１３１に格納させる（ステップＳ５１３）。そして、制御部１３０は、図７に示す原稿レイアウト設定画面７２０を表示するよう指示を与える。
【００９７】
制御部１３０からの表示指示を受けると、操作パネル１２０は、原稿レイアウト設定画面７２０を表示する（ステップＳ５１４）。
【００９８】
操作パネル１２０に表示された原稿レイアウト設定画面７２０において、［設定］ボタンＢ９の押下信号が入力されると（ステップＳ５１５  ［設定］）、制御部１３０は、読取原稿における片面／両面の指定と割付ページ数を一時メモリ１３１に格納させる（ステップＳ５１６）。そして、制御部１３０は、図８に示す割付順序設定画面７３０を表示するよう指示を与える。
【００９９】
制御部１３０からの表示指示を受けると、操作パネル１２０は、割付順序設定画面７３０を表示する（ステップＳ５１７）。
【０１００】
操作パネル１２０に表示された割付順序設定画面７３０において、［設定］ボタンＢ９の押下信号が入力されると（ステップＳ５１８  ［設定］）、制御部１３０は、読取原稿における割付順序を一時メモリ１３１に格納させる（ステップＳ５１９）。
【０１０１】
そして、ステップＳ５２０において、制御部１３０は、画像読取部１１０による読取解像度を算出する。具体的には、制御部１３０は、
（読取解像度）＝（送信解像度）×√（割付ページ数）
の式を用いて読取解像度を算出する。
【０１０２】
例えば、制御部１３０は、３００ｄｐｉの解像度で２ＵＰの原稿をＦＡＸ送信させる場合には、
（読取解像度）＝３００（ｄｐｉ）×√２＝４２１ｄｐｉ
と算出する。
【０１０３】
次に、制御部１３０は、算出された上記読取解像度でのスキャンがＭＦＰ６００’で可能か否かを判断する。
【０１０４】
前出の図６で示した例においては、ＭＦＰ６００’でスキャン可能な読取解像度は、７２ｄｐｉ、１５０ｄｐｉ、３００ｄｐｉ、又は６００ｄｐｉの何れかである。したがって、ＭＦＰ６００’による４２１ｄｐｉの解像度でのスキャンはできない（ステップＳ５２１  Ｎ）。この場合、制御部１３０は、算出された上記読取解像度よりも大きい値の読取解像度の中で最小の値を有する解像度を読取解像度と設定する（ステップＳ５２２）。本実施形態においては、制御部１３０は６００ｄｐｉを読取解像度と設定する。
【０１０５】
このようにして設定された読取解像度は、制御部１３０により一時メモリ１３１に格納される（ステップＳ５２５）。
【０１０６】
ところで、ステップＳ５１２、ステップＳ５１５、又はステップＳ５１８において、ユーザにより［キャンセル］ボタンＢ１０が押されると、制御部１３０による処理は、図１６のステップＳ５０３に戻り、制御部１３０は操作パネル１２０に対してＦＡＸプロパティ設定画面７００を表示するように指示を出力し、制御部１３０からの表示指示を受けた操作パネル１２０は、ＦＡＸプロパティ設定画面７００を表示する。
【０１０７】
図１５のステップＳ２００における画像読取部１１０による読取処理については、第１の実施形態と同一な処理であるため、ここでの説明は省略する。
【０１０８】
次に、図１５のステップＳ６００におけるデータ変換部１４０’による画像変換処理について図１８のフローチャートを用いて説明する。画像変換処理は、制御部１３０がデータ変換部１４０’を制御することにより実行する。
【０１０９】
データ変換部１４０’は、制御部１３０から図１７のステップＳ５１６において格納された割付ページ数、同図のステップＳ５１９において格納された割付順序、同図のステップＳ５２５において格納された読取解像度の通知を受けると（ステップＳ６０２）、画像変換処理を実行する。
【０１１０】
データ変換部１４０’は、読取データ格納部２１０に画像データが存在する間、読取原稿１ページ分の画像データを読み出し（ステップＳ６０３）、該画像データを分割処理部１４１に渡す。
【０１１１】
分割処理部１４１は、制御部１３０から通知された割付順序に従って画像データを分割する（ステップＳ６０４）。
【０１１２】
ここで、データ変換部１４０’は、分割後の画像データ、即ち、調整前送信画像データの解像度を算出する（ステップＳ６０５）。読取解像度をもってスキャンした原稿画像をＮ枚に分割処理した調整前送信画像データの解像度を暫定解像度とすると、暫定解像度は、以下の式で算出することができる。
（暫定解像度）＝（読取解像度）×√（割付ページ数）
【０１１３】
例えば、データ変換部１４０’は、６００ｄｐｉの解像度でスキャンしたＡ４サイズの２ＵＰ読取原稿をレイアウトに従って、Ａ５サイズに２分割すると、このときの暫定解像度を
（暫定解像度）＝６００（ｄｐｉ）×√２＝４２４ｄｐｉ
と算出する。
【０１１４】
次に、データ変換部１４０’は、ステップＳ６０５において算出した暫定解像度とユーザ指定のＦＡＸの送信解像度とを比較する。ここで、暫定解像度が送信解像度よりも大きい場合（ステップＳ６０６  Ｙｅｓ）、データ変換部１４０’は、調整前送信画像データを解像度調整部１４２に渡す。そして、解像度調整部１４２は、調整前送信画像データの解像度を送信解像度まで下げる処理を実行する（ステップＳ６０７）。
【０１１５】
例えば、ユーザがＦＡＸの送信解像度を３００ｄｐｉと指定した場合、解像度調整部１４２は、４２１ｄｐｉの調整前送信画像データを３００ｄｐｉの解像度となるように調整する。
【０１１６】
一方、ステップＳ６０５において算出された暫定解像度とユーザ指定のＦＡＸの送信解像度とが同一、又は暫定解像度が送信解像度よりも小さい場合（ステップＳ６０６  Ｎｏ）、及びステップＳ６０７において解像度調整処理が終了した場合、データ変換部１４０’は、画像データに送信解像度情報を付加し、送信画像データとして順次送信データ格納部２２０に格納させる（ステップＳ６０８）。
【０１１７】
読取データ格納部２１０に格納された画像データが全て読み出され、分割の処理が終了すると、データ変換部１４０は制御部１３０に分割終了を通知する（ステップＳ６０９）。
【０１１８】
図１５のステップＳ４００におけるデータ送信部１５０による読取処理については、第１の実施形態と同一な処理であるため、ここでの説明は省略する。
【０１１９】
以上のように、第２の実施形態によれば、第１の実施形態の効果に加え、ＭＦＰに設定可能な読取解像度とマルチページ印刷のレイアウトからユーザにより指定された送信解像度が実現できない場合においても、一端、高解像度で作成した画像データの解像度を調整することにより、ユーザ指定の送信解像度でも画像データの送信が可能となる。
【０１２０】
本発明の実施形態の説明において、画像処理装置の一例としてＭＦＰを用いて説明したが、本発明はこれに限定されず、ＦＡＸ専用機等にも適用可能である。また、画像データの送信手段としてＦＡＸ送信を一例に説明したが、この他にもＳｃａｎ  ｔｏ  Ｅ−ｍａｉｌ、Ｓｃａｎ  ｔｏ  ＵＳＢ、又はＳｃａｎ  ｔｏ  Ｎｅｔｗｏｒｋ機能にも適用可能である。
【符号の説明】
【０１２１】
１１０  画像読取部
１１５  ＡＤＦスイッチ
１２０  操作パネル
１３０  制御部
１３１  一時メモリ
１４０、１４０’  データ変換部
１４１  分割処理部
１４２  解像度調整部
１５０  データ送信部
２１０  読取データ格納部
２２０  送信データ格納部
６００、６００’  ＭＦＰ
【図１】
0005566869.tif 000002
【図２】
0005566869.tif 000003
【図３】
0005566869.tif 000004
【図４】
0005566869.tif 000005
【図５】
0005566869.tif 000006
【図６】
0005566869.tif 000007
【図７】
0005566869.tif 000008
【図８】
0005566869.tif 000009
【図９】
0005566869.tif 000010
【図１０】
0005566869.tif 000011
【図１１】
0005566869.tif 000012
【図１２】
0005566869.tif 000013
【図１３】
0005566869.tif 000014
【図１４】
0005566869.tif 000015
【図１５】
0005566869.tif 000016
【図１６】
0005566869.tif 000017
【図１７】
0005566869.tif 000018
【図１８】
0005566869.tif 000019